(57)【要約】【課題】小型であって、キセノンランプの点灯時に発生するノイズを遮断でき、しかも、組立が容易である。【解決手段】液晶表示パネル２１を有するパネル状表示部Ａの背面側に、キセノンランプ２６を使用した面状のバックライト部Ｂが配置されている。バックライト部Ｂには、拡散板３５の背面側に配置されるキセノンランプ２６が、給電用のリード線２９と共に金属製のバックライトケース２７内に収容されている。拡散板３５の背面には導電膜付きシート３６が貼り付けられている。キセノンランプ点灯用のインバータ３７は、バックライトケース２７の背面側に配置され、バックライトケース２７の背面に金属製の裏シールドケース３９が取り付けられている。【選択図】　図２
2004038042.tif 000002
【特許請求の範囲】
【請求項１】
液晶表示パネルを有する表示部と、該表示部の背面側に配置されて、光源から出射される光を該液晶表示パネルに照射するバックライト部とを具備し、
該バックライト部は、光源としてのキセノンランプを有し、該キセノンランプが、給電用のリード線と共に金属製のバックライトケース内に収容されて、該キセノンランプから出射される光が、バックライトケースに設けられた開口部を通して液晶表示パネルに照射されるようになっており、
該バックライトケースの開口部が、シート状の透明導電体によって覆われており、
該バックライトケースの背面に取り付けられた金属製の裏面側シールドケース内に、前記キセノンランプの点灯制御用のインバータが、バックライトケースから引き出されたリード線と共に収容されていることを特徴とする液晶表示装置。
【請求項２】
前記透明導電体は、光拡散板に貼り付けられた導電膜付きシートである請求項１に記載の液晶表示装置。
【請求項３】
前記バックライト部は、前記キセノンランプが前記液晶表示パネルに対向して配置された直下型バックライト方式である請求項１に記載の液晶表示装置。
【請求項４】
前記バックライト部は、前記液晶表示パネルに対向して配置された導光板の端面に前記キセノンランプを対向して配置したエッジライト方式である請求項１に記載の液晶表示装置。
【発明の詳細な説明】
【０００１】
【発明の属する技術分野】
本発明は、車載ナビゲーションシステムのデータ表示部、携帯用小型テレビの表示部等として好適に使用される液晶表示装置に関し、特に、有害な水銀を含まないキセノンランプを使用した水銀レスの背面光源を備える透過型の液晶表示装置に関する。
【０００２】
【従来の技術】
車載ナビゲーションシステムのデータ表示部、携帯用小型テレビの表示部等として、背面光源を備えた透過型の液晶表示装置が多用されている。このような液晶表示装置の構成の一例を図３および図４に示す。
【０００３】
この液晶表示装置は、液晶表示パネル１を主構成部とするパネル状表示部Ａと、このパネル状表示部Ａの背面側に配置されたバックライト部とを有している。
【０００４】
パネル状表示部Ａの液晶表示パネル１には、駆動信号伝達用のＦＰＣ（フレキシブルプリント回路基板）２が、一方の長手方向に沿った長辺に沿って設けられている。液晶表示パネル１は、長方形の枠状に構成された樹脂フレーム４の正面側に保持された状態で、樹脂フレーム４と同様の長方形の枠状に構成された金属製のシールドケース３内に収容されている。液晶表示パネル１に取り付けられたＦＰＣ２は、シールドケース３の側面に沿って背面側に折り曲げられている。シールドケース３は、液晶表示パネル１の保護及び電気的なシールドを行う。
【０００５】
液晶表示パネル１の表示面とは反対側である背面側には、光拡散シート１１、プリズムレンズシート１２および光拡散シート１３が、その順番に積層されて構成された光学シートが積層されており、さらに、その光学シートの背面側に、導光板５が積層されている。液晶表示パネル１、光学シートおよび導光板５は、一体となって、樹脂フレーム４内に保持されている。
【０００６】
パネル状表示部Ａの背面側に設けられたバックライト部Ｂは、冷陰極放電ランプ６と、冷陰極放電ランプ６を収容する金属製のバックライトケース７とを有している。バックライトケース７は、上面が開放された直方体状に構成されており、その底部には、切欠きがその四隅の内の長手方向両端部に設けられている。バックライトケース７の底部表面には、反射シート１０が貼り付けられている。反射シート１０は、その四隅の内の長手方向両端部に切欠きが設けられている。
【０００７】
冷陰極放電ランプ６の両端部には、放電電極（図示せず）がそれぞれ設けられており、各放電電極には、放電用電力を供給するリード線９が、その接続部を絶縁するホルダー８によって、それぞれ接続されている。各ホルダー８は、反射シート１０およびバックライトケース７内の四隅の内の長手方向両端部の切欠きに収容されて固定されている。これにより、冷陰極放電ランプ６が、バックライトケース７内に保持される。リード線９は、バックライトケース７の背面側に引き出されている。バックライトケース７は、ホルダー８、冷陰極放電ランプ６、導光板５および反射シート１０を保持すると共に、冷陰極放電ランプ６より発する熱を均等に拡散・放熱させる。
【０００８】
冷陰極放電ランプ６が収容されたバックライトケース７上面の開口部内には、導光板５が収容されており、この導光板５上に前述した光学シートが配置されている。
【０００９】
バックライトケース７は、シールドケース３内に嵌合された状態で、そのシールドケース３に固定されている。
【００１０】
このような構成の液晶表示装置では、バックライト部Ｂに設けられた冷陰極放電ランプ６から照射される光が、直接、および、背面側の反射シート１０によって反射されて、導光板５を通り、光学シートによって拡散された状態で、液晶表示パネル１に照射される。
【００１１】
【発明が解決しようとする課題】
ところで、液晶表示装置に光源として使用される冷陰極放電ランプには水銀が含有されており、液晶表示装置の廃棄時の環境問題が懸念されている。このため、冷陰極放電ランプに代わる液晶表示装置用の光源として、水銀を含まない蛍光灯であるキセノンランプが注目されている。
【００１２】
キセノンランプは、冷陰極放電ランプと異なり、水銀レスランプであるが、ランプ点灯をパルス波制御で行う。ちなみに、冷陰極放電ランプの点灯は正弦波にて制御される。この点灯方式の違いのため、ランプ点灯時に当該キセノンランプ、当該キセノンランプの放電電極に放電用電力を供給するリード線、及び当該キセノンランプ点灯用のインバータから、冷陰極放電ランプより格段に大きなノイズが生じる。このため、液晶表示パネル及びラジオ等の周辺機器に及ぼすノイズの影響が大きく、このことが液晶表示装置への搭載を妨げる要因となっている。
【００１３】
液晶表示装置におけるノイズ遮断構造として、液晶表示パネルの表面に被覆した透明導電膜と、液晶表示パネルを背面側のバックライト部と共に収容する外装ケースの内面に被覆した導電膜とを電気的に接続して、液晶表示パネル及びバックライト部を導電体内に封入する構成が、実開平４−１０４６２６号公報に開示されている。しかしながら、このノイズ遮断構造では、液晶表示パネル及び面状のバックライト部を一体的に被う大型の外装ケースが必要になり、液晶表示装置の大型化、および、組立作業の複雑化が問題になる。
【００１４】
本発明は上記従来の問題点を解決するものであり、その目的は、キセノンランプの点灯制御に伴って発生するノイズを効果的に遮断でき、しかも装置の大型化、組立作業の複雑化等を回避することができる液晶表示装置を提供することにある。
【００１５】
【課題を解決するための手段】
本発明の液晶表示装置は、液晶表示パネルを有する表示部と、上記表示部の背面側に配置されて、光源から出射される光を上記液晶表示パネルに照射するバックライト部とを具備し、上記バックライト部は、光源としてのキセノンランプを有し、上記キセノンランプが、給電用のリード線と共に金属製のバックライトケース内に収容されて、上記キセノンランプから出射される光が、バックライトケースに設けられた開口部を通して液晶表示パネルに照射されるようになっており、上記バックライトケースの開口部が、シート状の透明導電体によって覆われており、上記バックライトケースの背面に取り付けられた金属製の裏面側シールドケース内に、上記キセノンランプの点灯制御用のインバータが、バックライトケースから引き出されたリード線と共に収容され、これにより上記目的が達成される。　上記透明導電体は、光拡散板に貼り付けられた導電膜付きシートである。
【００１６】
上記バックライト部は、上記キセノンランプが上記液晶表示パネルに対向して配置された直下型バックライト方式である。
【００１７】
上記バックライト部は、上記液晶表示パネルに対向して配置された導光板の端面に上記キセノンランプを対向して配置したエッジライト方式である。
【００１８】
したがって、本発明の液晶表示装置は、水銀を含有する冷陰極放電ランプの代替となるキセノンランプが、給電用電力を供給するリード線及び点灯制御を行うインバータと共に、透明導電体、金属製のバックライトケース及び裏面側シールドケースによってシールドされているために、キセノンランプを点灯したときに発生するノイズを確実に遮断することができ、従って、ノイズによる周辺機器への悪影響が回避される。
【００１９】
【発明の実施の形態】
以下、図面を参照しながら本発明の実施の形態を説明する。
【００２０】
図１は、本発明の液晶表示装置の実施形態の一例を示す分解斜視図、図２は、その断面図である。この液晶表示装置は、６．５型であり、長方形の液晶表示パネル２１を主構成部とする扁平な直方体形状のパネル状表示部Ａと、このパネル状表示部Ａの背面側に設けられたバックライト部Ｂとを有している。
【００２１】
パネル状表示部Ａを構成する液晶表示パネル２１には、駆動信号伝達用のＦＰＣ（フレキシブルプリント回路基板）２２が、一方の長手方向に沿った長辺に沿って設けられている。液晶表示パネル２１は、長方形の枠状に構成された樹脂フレーム２４の正面側に保持された状態で、樹脂フレーム２４と同様の長方形の枠状に構成された金属製の表面側シールドケース２３内に収容されている。液晶表示パネル２１に取り付けられたＦＰＣ２２は、表面側シールドケース２３の側面に沿って背面側に折り曲げられている。
【００２２】
液晶表示パネル２１の表示面とは反対側である背面側には、光拡散シート３１、プリズムレンズシート３２および光拡散シート３３が、その順番に積層されて構成された光学シートＣが積層されており、さらに、その光学シートＣの背面側に、拡散板３５が積層されている。液晶表示パネル２１、光学シートＣおよび拡散板３５は、一体となって、樹脂フレーム２４内に保持されている。
【００２３】
パネル状表示部Ａの背面側に設けられたバックライト部Ｂは、それぞれが直線状の棒状に構成された４本のキセノンランプ２６と、これらのキセノンランプを収容する金属製のバックライトケース２７とを有している。バックライトケース２７は、上面が開放された直方体状に構成されており、その底部には、各キセノンランプ２６が収容されるように円弧状に窪んだ４つの凹部が幅方向に並んで設けられている。バックライトケース２７の底部表面には、反射シート３０が貼り付けられている。反射シート３０は、キセノンランプ２６の背面側に位置するバックライトケース２７の底部表面に沿った形状になっており、従って、各キセノンランプ２６がそれぞれ嵌合し得る４つの凹部が、幅方向に並んだ形状になっている。
【００２４】
各キセノンランプ２６のそれぞれの端部には、放電電極（図示せず）がそれぞれ設けられており、各放電電極には、放電用電力を供給するリード線２９が、その接続部を絶縁するホルダー２８によって、それぞれ接続されている。各ホルダー２８は、バックライトケース２７内の両側の端部にそれぞれ形成された凹部に収容されて固定されている。これにより、各キセノンランプ２６が、バックライトケース２７内に設けられた反射シート３０の各凹部内に位置した所定の状態にそれぞれ保持される。リード線２９は、バックライトケース２７の背面側に引き出されており、その背面側に配置されたインバータ３７に接続されている。
【００２５】
キセノンランプ２６が収容されたバックライトケース２７上面の開口部内には、光拡散板３５が収容されており、この光拡散板３５上に前述した光学シートＣが配置されている。光拡散板３５の裏面には、面状の透明導電体である導電膜付きシート３６が貼り付けられている。導電膜付きシート３６は、金属製のバックライトケース２７に電気的に接続されている。
【００２６】
バックライトケース２７は、表面側シールドケース２３内に嵌合された状態で、その表面側シールドケース２３に固定されている。
【００２７】
バックライトケース２７における底部の背面側には、各キセノンランプ２６の点灯制御を行うインバータ３７が一体的に取り付けられた支持板３８が取り付けられている。支持板３８には、シールドケース２７内から外部に引き出されたリード線２９に取り付けられたコネクタ２９ａが固定されている。
【００２８】
バックライトケース２７の背面には、インバータ３７を収容する金属製の裏面側シールドケース３９が取り付けられている。裏面側シールドケース３９は、上面が開口した金属製の箱体であり、その開口部が、バックライトケース２７の底部の背面に突き当てられることによって閉鎖されている。裏面側シールドケース３９内には、インバータ３７とともに、バックライトケース２７から引き出されたリード線２９およびコネクタ２９ａが収容されている。裏面側シールドケース３９は、バックライトケース２７の背面に電気的に接続されている。
【００２９】
このような構成の液晶表示装置では、バックライト部Ｂに設けられた各キセノンランプ２６から照射される光が、直接、および、背面側の反射シート３０によって反射されて、光拡散板３５の背面に設けられた導電膜付きシート３６を介して、光拡散板３５内に入射され、光拡散板３５によって拡散されるとともに、光シートＣによって拡散された状態で、液晶表示パネル２１に照射される。
【００３０】
このように、本発明の液晶表示装置のバックライト部Ｂは、液晶表示パネル２１の背面側に配置されたキセノンランプ２６から照射される光によって、液晶表示パネル２１が直接照射される直下型になっており、液晶表示装置全体が小型になっている。
【００３１】
パネル状表示部Ａの背面側に配置されたバックライト部Ｂに設けられた４本のキセノンランプ２６は、ホルダー２８から引き出されたリード線２９の一部と共に、金属製のバックライトケース２７内に収容されている。バックライトケース２７の上面の開口部は、光拡散板３５の背面に貼り付けられた導電膜付きシート３６によって覆われており、この導電膜付きシート３６が、バックライトケース２７と電気的に接続されている。このように、各キセノンランプ２６は、ホルダー２８から引き出されたリード線２９の一部と共に、金属バックライトケース２７内に封入されているために、電磁気的にシールドされている。
【００３２】
また、各キセノンランプ２６を点灯制御するインバータ３７も、バックライトケース２７の外に引き出されたリード線２９と共に、バックライトケース２７の背面に取り付けられた裏面側シールドケース３９内に収容されており、裏面側シールドケース３９の上面開口部は、バックライトケース２７の底部により覆われている。このように、インバータ３７も、バックライトケース２７の外に引き出されたリード線２９と共に金属製の裏面側シールドケース３９内に封入されているために、電磁気的にシールドされている。
【００３３】
その結果、バックライト部Ｂにおける光源として、パルス波による点灯制御を行うキセノンランプ２６を使用しているにもかかわらず、その使用で問題となるキセンノンランプ２６、リード線２９及びインバータ３７からのノイズが、外部へ漏洩することが防止される。
【００３４】
また、液晶表示パネル２１がバックライトケース２７の正面側に配置されると共に、バックライトケース２７の背面側にインバータ３７が配置され、しかも、そのインバータ３７がバックライトケース２７から分離独立した裏面側シールドケース３９によってシールドされているために、液晶表示装置が小型化されるとともに、容易に組み立てることができる。
【００３５】
本実施形態の液晶表示装置の具体的な形状について説明する。
【００３６】
液晶表示パネル２１の外形サイズは（縦：８７．４ｍｍ）×（横：１５２．３ｍｍ）である。樹脂フレーム２４は、ポリカーボネートによって形成されており、そのサイズは（縦：８９ｍｍ）×（横：１６６ｍｍ）×（厚さ：３．４ｍｍ）である。
【００３７】
光学シートＣを構成する拡散シート３１および３３は、ＰＥＴで形成されており、そのサイズは、（縦：８５ｍｍ）×（横：１４８．２ｍｍ）×（厚さ：０．２ｍｍ）である。また、光学シートＣを構成するレンズシート３２はＰＥＴで形成されており、そのサイズは（縦：８５ｍｍ）×（横：１４８．２ｍｍ）×（厚さ：０．２ｍｍ）である。
【００３８】
光拡散板３５はアクリルで形成されており、サイズは（縦：８６ｍｍ）×（横：１４７．５ｍｍ）×（厚さ：２ｍｍ）である。導電膜付きシート３６は、（ＩＴＯ膜付きＰＥＴシート）によって形成されている。
【００３９】
バックライトケース２７は、アルミニウムで形成されており、そのサイズは（縦：８８ｍｍ）×（横：１６６ｍｍ）×（高さ：９．３ｍｍ）である。反射シート３０は、ＰＥＴで形成されており、そのサイズは（縦：８０．２ｍｍ）×（横：１４５．２ｍｍ）×（厚さ：０．２ｍｍ）である。
【００４０】
表面側シールドケース２３は、アルミ溶融メッキ鋼板のような金属材料によって形成されており、そのサイズは、（縦：９０．２ｍｍ）×（横：１６７ｍｍ）×（厚さ：０．３ｍｍ）である。裏面側シールドケース３９は、アルミで形成されており、そのサイズは（縦：８７．５ｍｍ）×（横：１５３．４ｍｍ）×（厚さ：１．５ｍｍ）である。
【００４１】
また、キセノンランプ２６のサイズは、（長さ：１５６ｍｍ）×（直径：３．８ｍｍ）である。リード線２９は（直径：１．６ｍｍ）になっている。キセノンランプ２６の放電電極とリード線接続部の絶縁を目的とするホルダー２８のサイズは、（縦：６ｍｍ）×（横：７．５ｍｍ）×（高さ：５ｍｍ）である。
【００４２】
このような仕様により、ランプ点灯ノイズの発生源であるキセノンランプ２６、キセノンランプ２６に放電用電力を供給するリード線２９、及びキセノンランプ２６の点灯制御を行うインバーター３７は、透明導電膜付シート３６、金属製のバックライトケース２７及び裏面側シールドケース３９によって完全に磁気シールドされており、そのランプ点灯時におけるノイズが、外部に漏洩することを確実に遮断する。
【００４３】
なお、キセノンランプ２６を使用したバックライト部Ｂは、上記実施形態では光拡散板３５の背面側にキセノンランプ２６を配置した直下型バックライト方式としたが、このような構成に限定されるものではなく、例えば、キセノンランプ２６を導光板の端面に対向させて配置するエッジライト方式のバックライト部Ｂであってもよい。
【００４４】
さらに、本発明は、あらゆるサイズの液晶パネルを使用することができ、本実施形態のような６．５型の液晶表示パネルに限定されるものではない。
【００４５】
【発明の効果】
本発明の液晶表示装置は、このように、水銀を含有する冷陰極放電ランプの代替となるキセノンランプが、給電用電力を供給するリード線及び点灯制御を行うインバータと共に、透明導電体、金属製のバックライトケース及び裏面側シールドケースによってシールドされているために、キセノンランプを点灯したときに発生するノイズを確実に遮断することができ、従って、ノイズによる周辺機器への悪影響が回避される。
【図面の簡単な説明】
【図１】本発明の液晶表示装置の一実施形態を示す分解斜視図である。
【図２】その液晶表示装置の概略断面図である。
【図３】従来の液晶表示装置の分解斜視図である。
【図４】その液晶表示装置の断面図である。
【符号の説明】
Ａ　　パネル状表示部
Ｂ　　バックライト部
Ｃ　　光学シート
２１　液晶表示パネル
２２　ＦＰＣ
２３　表面側シールドケース
２４　樹脂フレーム
２６　キセノンランプ
２７　バックライトケース
２８　ホルダー
２９　リード線
３０　反射シート
３１、３３　光拡散シート
３２　プリズムレンズシート
３５　光拡散板
３６　透明導電膜付シート
３７　インバータ
３９　裏面側シールドケース
【図１】
2004038042.tif 000003
【図２】
2004038042.tif 000004
【図３】
2004038042.tif 000005
【図４】
2004038042.tif 000006